【事件の表示】
　特許第３３２１６４３号「リードライター制御装置」の請求項１に係る特許に対する特許異議の申立てについて、次のとおり決定する。
【結　論】
　訂正を認める。
　特許第３３２１６４３号の請求項１に係る特許を維持する。
【理　由】
１．手続の経緯
　特許第３３２１６４３号の請求項１に係る発明についての出願は、平成２年６月８日にされた特許出願（特願平２−１５０８５４号）の一部が、特許法第４４条の規定により新たな出願（特願平９−１６６６１５号）とされ、更にその一部が新たな出願（特願平１１−１５２４７４号）とされたものであって、平成１４年６月２８日にその発明について特許の設定登録がなされ、その後、その特許について、異議申立人細江裕実により特許異議の申立てがなされ、取消しの理由が通知され、その指定期間内である平成１７年８月５日に訂正請求がなされ、同年９月２日付けで特許異議申立人より上申書が提出されたものである。
　
２．訂正の適否についての判断
　
ア．訂正の内容
（ａ）訂正事項ａ．
特許請求の範囲の請求項１を、
「【請求項１】 球貸スイッチの操作に基づき貸出球を排出する球排出装置をパチンコ機に設け、該球排出装置を制御する本体制御装置と交信可能に接続されると共に、カードリードライター及び球貸スイッチが電気的に接続され、ＲＡＭを備え、カードの残高の確認をするリードライター制御装置であって、前記球貸スイッチをオンとすることにより球貸記憶数情報として前記ＲＡＭに記憶し、該球貸記憶数情報に基づき、球貸要求信号を前記本体制御装置へ前記カードの残高があることを条件として送信して球排出処理を行なわせ、前記本体制御装置から送信された貸出球の排出中であることを示すビジー信号を受信し、ビジー信号の無いときに前記球貸記憶数情報に基づく球貸要求信号を送信するようにしたことを特徴とするリードライター制御装置。」と訂正する。
　
（ｂ）訂正事項ｂ．
発明の詳細な説明中段落【０００７】を
「【課題を解決するための手段】
　上記目的を達成するために、請求項１のリードライター制御装置の発明は、球貸スイッチの操作に基づき貸出球を排出する球排出装置をパチンコ機に設け、該球排出装置を制御する本体制御装置と交信可能に接続されると共に、カードリードライター及び球貸スイッチが電気的に接続され、ＲＡＭを備え、カードの残高の確認をするリードライター制御装置であって、前記球貸スイッチをオンとすることにより球貸記憶数情報として前記ＲＡＭに記憶し、該球貸記憶数情報に基づき、球貸要求信号を前記本体制御装置へ前記カードの残高があることを条件として送信して球排出処理を行なわせ、前記本体制御装置から送信された貸出球の排出中であることを示すビジー信号を受信し、ビジー信号の無いときに前記球貸記憶数情報に基づく球貸要求信号を送信するようにしたことを特徴とする。」
と訂正する。
　
（ｃ）訂正事項ｃ．
発明の詳細な説明中段落【００１６】を、
「【００１６】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（後述する球貸記憶の記憶数の減算を要求する信号）が返信されこれら総入力信号に基づきカードリードライター５ａ、カード搬送装置３９および金額の表示装置４０を作動させる。」
と訂正する。
　
（ｄ）訂正事項ｄ．
発明の詳細な説明中段落【００１９】を、
「【００１９】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（すなわち、球貸記憶数情報。球貸スイッチの操作に基づき、リードライター制御装置のＲＡＭに記憶される球の数であり、当初は０）を加算するステップ８を通ってステップＡ１（図７）へ進む。なお、ステップ６において球貸スイッチ４１が作動していないときおよびステップ７においてガラス枠１８等が開放状態であれば球貸記憶の数値（カードに記憶された球貸可能な数、すなわち球貸記憶数）は増加しないようにされている。」
と訂正する。
　
（ｅ）訂正事項ｅ．
発明の詳細な説明中段落【００２０】を、
「【００２０】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値（前記球貸記憶数）を１減算してステップＡ３に合流する。」
と訂正する。
　
（ｆ）訂正事項ｆ．
発明の詳細な説明中段落【００２２】を、
「【００２２】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値（前記球貸記憶数）を１減算し、ステップＢ６で球貸記憶の数値（前記球貸記憶数）が０であることを確認し、もし記憶数が有るならばステップＢ７において球貸記憶の数値（前記球貸記憶数）をクリアする。次に、残金減算要求信号が受信されている場合（ステップＢ８）、減算処理をして（ステップＢ９）結果をカードに書き込み（ステップＢ１０）、図６に示すステップ９によりカードを排出する。」
と訂正する。
　
（ｇ）訂正事項ｇ．
発明の詳細な説明中段落【００２３】を、
「【００２３】
　一方、図７に示すステップＡ４で残金データが０になったことを判定すると、カードに残金０のデータを書き込み（図８ステップＢ１０）、球貸記憶の記憶数（前記球貸記憶数）が０以外であればその数値をクリアし（図示せず）、図６に示すステップ９によりカードを排出する。」
と訂正する。
　
（ｈ）訂正事項ｈ．
発明の詳細な説明中段落【００２７】を、
「【００２７】
　また、本実施例ではカードを挿入した後、カードは残額が０になるか（ステップＡ４参照）または取出スイッチ４２が操作されるか（ステップ５参照）するまでカードリードライター５ａ内に保持されたままであるが、玉貸し操作ごとに排出するようにしても良い。」
と訂正する。
　
　
イ．訂正の目的の適否、新規事項の有無、及び拡張・変更の存否
　
  上記訂正事項（ａ）は、訂正前明細書の記載に基き、請求項１の「貸出球の球排出装置」を「球貸スイッチの操作に基づき貸出球を排出する球排出装置」とし、「ＲＡＭを備えたリードライター制御装置」を「ＲＡＭを備え、カードの残高の確認をするリードライター制御装置」に、「球貸要求信号を前記本体制御装置へ送信」を「球貸要求信号を前記本体制御装置へ前記カードの残高があることを条件として送信」にしたものである。
　これらの訂正は、「球排出装置」、「リードライタ制御装置」及び「本体制御装置へ送信」すること、を更に限定するものであって、特許請求の範囲の減縮を目的とするものであり、これらの限定は明細書に記載されていた事項である。
　
　また、上記訂正事項（ｂ）は、上記訂正に伴い、これらと整合を図るために、発明の詳細な説明を訂正するものであるから、明りょうでない記載の釈明を目的とするものであり、上記訂正事項（ｃ）〜（ｇ）は、「球貸記憶数」についての、明りょうでない記載の釈明を目的とするものであって、明細書に記載されていた事項である。
更に、（ｈ）は明らかな誤記の訂正である。
　
ウ．むすび
　したがって、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項及び第３項の規定に適合するので、当該訂正を認める。
　
３．特許異議の申立についての判断
　
（１）「本件発明」
　上記２．で示したように上記訂正が認められるから、本件の請求項１に係る発明（以下、「本件発明」という。）は、上記訂正に係る訂正明細書の特許請求の範囲の請求項１に記載された次の事項により特定されるとおりのものである。
　
「【請求項１】 球貸スイッチの操作に基づき貸出球を排出する球排出装置をパチンコ機に設け、該球排出装置を制御する本体制御装置と交信可能に接続されると共に、カードリードライター及び球貸スイッチが電気的に接続され、ＲＡＭを備え、カードの残高の確認をするリードライター制御装置であって、前記球貸スイッチをオンとすることにより球貸記憶数情報として前記ＲＡＭに記憶し、該球貸記憶数情報に基づき、球貸要求信号を前記本体制御装置へ前記カードの残高があることを条件として送信して球排出処理を行なわせ、前記本体制御装置から送信された貸出球の排出中であることを示すビジー信号を受信し、ビジー信号の無いときに前記球貸記憶数情報に基づく球貸要求信号を送信するようにしたことを特徴とするリードライター制御装置。」
　
（２）異議申立理由の概要
　
　特許異議申立人細江裕実は、請求項１に係る発明の特許は、以下の「ａ．特許異議申立理由１」及び「ｂ．特許異議申立理由２」により、本件発明１の特許は取り消されるべきものであると主張し、さらに上申書において、「ｃ．特許異議申立理由３」を主張している。
　
ａ．特許異議申立理由１：特許法第３６条第４項違反
　　「球貸要求信号」について、この用語のみをもっていかなるものであるか特定することが出来ないから、技術的に明瞭でないから、特許法第３６条第４項に違反する。
　
ｂ．特許異議申立理由２：特許法第２９条第２項違反
　　請求項１に係る発明について、特開平１−２８０４８９号公報（甲第１号証）に記載された発明及び下記各文献（甲第２〜１０号証）にみられる周知技術に基づいて、容易に発明をすることができたものであるから、特許法第２９条第２項により特許を受けることができない。
記
特開昭６３−５１８８１号公報（甲第２号証）
実願昭６２−１４００４７号（実開昭６４−４６０８７号）のマイクロフィルム（甲第３号証）
特開平１−１３６６８１号公報（甲第４号証）
特開昭６３−３０９２８７号公報（甲第５号証）
特開昭６３−１０２７８３号公報（甲第６号証）
特開平１−２２１１８７号公報（甲第７号証）
特開平１−１２１９２１号公報（甲第８号証）
特開平１−１４２９２４号公報（甲第９号証）
特開昭６０−９７４５７号公報（甲第１０号証）
　
ｃ．特許異議申立理由３：特許法第３６条３項違反
　「球貸記憶数情報」について、一意に特定できず、発明を容易に実施することが出来ないから、特許法第３６条第３項に違反する。
　
（３）特許異議申立理由についての検討
　（３）ａ．特許異議申立理由１について
　　「球貸要求信号」は、「本件発明」において、本体制御装置にリードライター制御装置から送信して球排出処理を行わせるものであるから、技術的に明瞭である。
　
　（３）ｂ．特許異議申立理由２について
　　「本件発明」の、「リードライター制御装置」が「本体制御装置」と「交信可能に接続」される点、及び、「リードライター制御装置」から「本体制御装置」へという向きの信号は「球貸要求信号」であり、逆向きの信号は「ビジー信号」であって、「球貸要求信号」が「ビジー信号の無いとき」送信される点は、異議申立の甲各号証のいずれにも開示されておらず、またこれらから容易に想到できるものであるともいえないものである。
　そして、これらの点によって、「本件発明」は格別の作用効果を奏するものと認められる。
　
　すなわち、
　ビジー信号については、特許異議申立の甲第７号証（特開平１−２２１１８７号公報）に、図面と共に次の事項が記載されている。
　
（記載２５．）「本発明は、所定の遊技用情報が記憶された遊技券を利用して遊技を行うようにしたパチンコ台を管理するためのパチンコ台管理システム、特には上記のようなパチンコ台の打止状態の管理を行なうためのパチンコ台管理システムに関する。」（第１頁右下欄第１１−１５行）
　
（記載２６．）「第３図には前記発券機６の正面外観が示されている。この第３図において、２２は紙幣を挿入するための挿入口、２３は硬貨を投入するための投入口、２４は金額表示部で、この金額表示部２４は、挿入口２２及び投入口２３を介した投入金額の合計をデジタル表示するように構成されている。２５，２６，２７．２８は後述する遊技券２９に記憶させる金額情報ＭＤを入力するための選択ボタンで、これらには夫々例えば「５００（円）」、「１０００（円）」、「２０００（円）」、「３０００（円）」の各表示が施されている。」（第４頁左下欄第２０行−右下欄第１０行）
　
（記載２７．）「第５図には、遊技制御装置５を構成する各要素及びパチンコ台１並びに球貸機３５の配置関係が示されており、以下これについて説明する。
　即ち、球貸機３５は、２台ずつのパチンコ台１の各間に夫々と隣接するように配置された所謂台間球貸機として構成されたもので、隣接するパチンコ台１に夫々対応した遊技制御装置５によって制御されるようになっている。斯かる球貸機３５には、その前面にパチンコ玉放出口３６、例えば赤色ＬＥＤより成る異常表示灯・・・・・・遊技制御装置５により後述のように指令された数のパチンコ玉をパチンコ玉放出口３６から放出するように構成されている。」（第７頁左上欄第１３行−右上欄第１１行）
　
（記載２８．）「遊技制御装置５は、パチンコ台１の上方位置に一列状に配置されたカード挿入口３９、カード返却スイッチ４０ａ、例えば３個のセレクトスイッチ４０ｂ〜４０ｄ及び残高表示部４１を有すると共に、内部には第６図に示すような回路要素が設けられている。尚、上記セレクトスイッチ４０ａ、４０ｂ、４０ｃには、夫々に対応して例えば「１００円」「２００円」「４００円」の各表示が施されている。」（第７頁右上欄第１２−２０行）
　
（記載２９．）「さて、第６図において、４２は打ち止め解除手段としても機能する玉貸制御回路であり、これはマイクロコンピュータを含んで構成されている。・・・　・・・そして、玉貸制御装置４２は、カードリーダ４４による読み込み情報、慚愧カード返却スイッチ４０ａ及びセレクトスイッチ４０ｂ〜４０ｄからのオン信号、前記集中管理装置７から与えられる選択信号Ｓｋ、打止保持信号Ｓｄ及び予め記憶したプログラムに基づいて、玉貸機３５、残高表示部４１、カード出し入れ装置４３、カードライタ４５、信号発生回路４６等を制御するものであり、これにより遊技制御装置５は大略第７図に示すように機能する。
以下においては第７図に示された遊技制御装置５の機能の大略について説明する。即ち、まずカード挿入口３９に遊技券２９が挿入された否かを判断し（ステップＢ１）、遊技券２９が挿入されるまで待機する。・・・　・・・遊技券２９が挿入されたときには、遊技券２９を挿入状態に保持すると共に、その遊技券２９に記憶された情報を読み取る（ステップＢ２、Ｂ３）。・・・その遊技券を返却し（ステップＢ５）・・・　・・・「ＮＯ」と判断した場合には遊技券２９を返却する前記ステップＢ５を経てステップＢ１へ戻る。・・・　・・・ステップＢ７で「ＮＯ」と判断した場合、つまりパチンコ台１が遊技可能な状態にある場合には、前記ステップＢ３で読み取った遊技券２９の金額情報ＭＤに基づいて、その情報ＭＤに対応した残高金額を残高表示部４１に表示させる（ステップＢ８）。次いで、上記残高金額があるか否かを判断し（ステップＢ９）、残高金額つまり金額情報ＭＤが零であった場合には、前記ステップＢ５を経てステップＢ１へ戻る。」（第７頁右下欄第１行−第８頁左上欄第１７行）
　
（記載３０．）「また、カード返却スイッチ４０ａがオンされることなくセレクトスイッチ４０ｂ〜４０ｄの何れかがオン操作されたときには、遊技券２９に記憶された金額情報ＭＤを所定金額分減額するように書換え（ステップＢ１２）、球貸機３５内の図示しないパチンコ玉供給機構に対して上記減額金額に相当した数のパチンコ玉を放出するように指令を与える（ステップＢ１３）。」（第８頁右上欄第４−１１行）
　
（記載３１．）「尚、２台の遊技制御装置５に対応した設けられた玉貸機３５は、一方の遊技制御装置５からの指令によってパチンコ玉の放出を行なっているときには、他方の遊技制御装置５に対してビジー信号Ｓｂ（第６図参照）を出力するようになっており、遊技制御装置５にあっては上記ビジー信号Ｓｂが消失するまでパチンコ玉放出指令の出力を待機するようになっている。」（第９頁左上欄第２−１０行）
　
甲第７号証（特開平１−２２１１８７号公報）記載のものは、上記記載２９及び３０が示すように、遊技券の残高を読み取り書込むリードライタと球貸スイッチであるセレクトスイッチとが接続された球貸制御回路４２が、遊技球排出をおこなう球貸機３５に対してパチンコ玉を放出するように信号を送信していると解される。
一方玉貸機３５から制御回路４２へという向きの信号の送信に関してみると、上記記載３１によれば、球貸機３５に対して球排出をするように信号を送信する球貸制御回路が２個存在し、一方の制御回路からの指令に基づきパチンコ玉の放出をおこなっているときは、他方の球貸制御回路に対してビジー信号Ｓｂを送信するものである。
このビジー信号Ｓｂは、球放出の指令をした球貸し制御回路への信号ではないから、信号の送信とそれに対する応答をおこなっている、とはいえない。
　
　一般に、動作を要求する装置からの要求に基づいて動作する装置に、要求信号を送信し、その要求に基づく動作をおこなった装置が要求した装置になんらかの信号を返信することは、広く行われている事項であるが、パチンコ機分野におけるビジー信号の利用例としての甲第７号証のものは、要求した装置への返信ではない。
　
　「本件発明」における「交信」は、「ビジー信号の無いときに球貸要求信号を送信する」という点では第５引用例のものと一致するが、ビジー信号の契機となった球貸要求信号を送信した制御装置に対してビジー信号が送られる点において甲第７号証のものとは相違し、ビジー信号によって球貸要求信号が送られなくされることによって、球貸要求の送信とビジーの受信という交信をおこなうカードリーダーが、本体制御装置とは別異の制御装置として存在可能となり、
「リードライター制御装置はＲＡＭに球貸記憶数情報を蓄積させておくことにより貸出球の排出を本体制御装置と共に制御し、本体制御装置への制御機能の集中化を排除することができる。これによってパチンコ機の旧台から新台への交換時、新台の本体制御装置を入れ替えることにより、カードリードライター、リードライター制御装置及び球貸スイッチがそのまま使用できるので、この分のコストが低減される。また、カード操作に必要な球貸スイッチの操作が変更されず従来通り操作できる。また、前記球貸スイッチをオンとすることにより球貸記憶数情報としてＲＡＭに記憶し、該球貸記憶数情報に基づいて球貸要求信号を本体制御装置に送信することにより、確実に貸出球の排出処理が行え、また、本体制御装置からのビジー信号の送信を受信することにより、球貸要求信号を発生させないので、１回の貸出球の排出処理が確実に行え、信頼性が向上するという効果がある。また、リードライター制御装置は球貸スイッチ、カードリードライターからの信号を受信して球貸記憶数情報とし、ビジー信号の無いときにＲＡＭに記憶された該球貸記憶数情報に基づき本体制御装置へ球貸要求信号を送信することができ、本体制御装置は貸出球排出処理を繰り返し行なうことができる。」（段落番号００２８）という、格別の効果を奏する。
　
（４）ｃ．特許異議申立理由３について：
　「球貸記憶数情報」は、発明の詳細な説明及び図面から当業者が容易に実施することが出来る。
　
（５）異議申立についての判断の結論
　以上のとおり、取消理由１及び２はいずれも失当である。
　
４．むすび
　以上のとおりであるから、特許異議申し立ての理由および証拠によっては、本件発明１の特許を取り消すことが出来ない。
　また、他に本件発明の特許を取り消すべき理由を発見しない。
　
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１８年１月６日（２００６．１．６）
【訂正の要旨】
審決（決定）の【理由】欄参照。
（５４）【発明の名称】
リードライター制御装置
（５７）【特許請求の範囲】
　【請求項１】
球貸スイッチの操作に基づき
を排出する
、カードの残高の確認をする
前記カードの残高があることを条件として
【発明の詳細な説明】
　【０００１】
　【発明の属する技術分野】
　本発明は、パチンコ機の遊技球をカードによって貸出すためのリードライター制御装置に関するものである。
　【０００２】
　【従来の技術】
　一般に、パチンコ店で使用されるパチンコ機の遊技球は、店内のコーナーまたは店内に並べられているパチンコ機の間に介在されてる自動球貸機によって得られる。これらは予め、少額の紙幣、硬貨を用意しておく必要があり、換金をするため一時、遊技を中断せざるを得なかった。
　【０００３】
　近年、上記理由などにより、プリペイド用カード等を利用したカード式の球貸機が提案されている。カード式の球貸機は、カード読取り装置と金額表示兼選択スイッチ等が備わっているもので、カードを球貸機に有するカード挿入口から挿入し、選択スイッチを操作することによって遊技球が所定数払出されるようにされている。このカード式球貸機を隣接するパチンコ機の間またはパチンコ機の上方に設置することを提案したものがある（特開昭６３−１２２４８２号公報参照）。
　【０００４】
　この構成によれば球貸機の同位置に配置されたカード挿入口にカードを挿入して貸出用のスイッチを押すことによって、貸出球は樋を介してパチンコ機の受皿に排出するようにされている。ところが、このカード式球貸機のカード挿入口および操作部はパチンコ機から離れているので、カードの操作を行うときには身体を動かさねばならず遊技を中断することとなる。そこで、１台のパチンコ機専用としてカード式球貸機をパチンコ機の前面枠に配設することを提案したものがある（特開昭６４−３４３９０号公報参照）。これはカードの情報読み取りを専用にすることで遊技中カードを挿入したままにしておくことができ、煩雑な球貸し操作が省けて遊技に専念できる。
　【０００５】
　【発明が解決しようとする課題】
　しかしながら、上記のようにパチンコ機と一体に上記カード式球貸機を設けたものでは、新台入れ替え時において、遊技性とは関係のないカードリードライターおよびその制御装置まで交換することになり改装費が割高になる。また、入れ替えた機械のカードによる球貸操作が従来のものと同じでも異なっていても遊技性にはなんら関与されず不経済である。
　【０００６】
　本発明は、パチンコ機の新台入れ替えを容易にさせ、カードによる球貸の操作が容易となるように、パチンコ機内の本体制御装置と分離可能にされたリードライター制御装置を提供することを目的とする。
　【０００７】
　【課題を解決するための手段】
　上記目的を達成するために、請求項１の
リードライター制御装置の
球貸スイッチの操作に基づき
を排出する
、カードの残高の確認をする
前記カードの残高があることを条件として
　【０００８】
　パチンコ機の入れ替時において、旧台のリードライター制御装置を使用することにより、組込んだカードリードライター及び球貸スイッチがそのまま残り、カードの操作は同じようにして使用することができる。
　【０００９】
　【発明の実施の形態】
　以下、本発明の実施の形態を添付図面に基いて説明する。図１，図２に示すようにパチンコ機１の前面には遊技球を乗せる上皿２および下皿３が設けられ、上皿２から流下して来る遊技球を発射する電動ハンドル４が図面上右側に取付けられ後述するカード式球貸装置５のカードリードライター５ａ（カード挿入部）が図面上左側に取付けられている。なお、電動ハンドル４は上面に配したタッチスイッチ４ａを押さえることにより起動し側面に突設したつまみ４ｂを回すことによって発射力を調整するものである。また、電動ハンドル４の近くに単発発射用のスイッチ６が取付けられている。
　【００１０】
　図３に示すように、遊技盤７上には入賞口（役物始動口を含む）８が設けられ、ここでは役物始動口８はスロット９を回転させる機構となっており、その回転を止め図柄を停止させるスイッチ１０が電動ハンドル４の側に配置されている。なお、上皿２の排出口２ａからは貸出球および賞球が排出され、上皿２の枠に配置した球抜きボタン１１を押すことによって上皿２の遊技球が下皿３の排出口３ａから出る。図中、カードリードライター５ａの隣りには引出し型の灰皿ボックス１２が具備されている。
　【００１１】
　また、図２に示すように、遊技盤７、上皿２、下皿３および電動ハンドル４は前枠１３に装着されており、矩形状の外枠１４にはその下部前面１４ａにカードリードライター５ａおよび灰皿ボックス１２が取付けられている。ヒンジ１５は外枠１４の上端縁に固着したサポート１５ａと前枠１３の上端に固着した爪側ヒンジ１５ｂとで構成され、同様に、外枠１４の下部前面１４ａ上に固着された爪側ヒンジ１５ｂと前枠１３下端縁に固着されたサポート１５ａとで構成され、それぞれが結合して前枠１３を横方向に回動自在に設けている。したがって、その連結は前枠１３を前方に回動させ、上方に持ち上げることで容易に外せる構造となっている。
　【００１２】
　また、前枠１３にはヒンジ１５と反対側側面にシリンダ錠１６が設けられ、外枠１４には鍵受部材１７が縦方向の２箇所に取付けられており、シリンダ錠１６によって前枠１３およびガラス枠１８を固定、あるいは開放するようにされている。なお、前枠１３の周囲にはスピーカ１９および表示灯２０が取付けられ、後部には機構枠２１が一体に構成され球寄せカバー２２が装着されており、上部に上タンク２３が配置されている。
　【００１３】
　また、図４に示すように、鍵受部材１７には施錠装置２４が係合され、この箇所に枠開放検出スイッチ２５が取付けられており、合鍵によって前枠１３またはガラス枠１８が開放されるとその開放状態を検出するようにされている。上タンク２３からは接続樋２６を介して賞球および貸出球の排出装置２７が接続され排出装置２７の下部に賞球樋２８および球抜樋２９が接続されている。賞球樋２８は上皿２への接続樋３０と下皿流下ボックス３１とに接続されている。なお、前枠１３下部には電動ハンドル４によって作動する打球発射装置３２が配設されており、入賞口８と連設している入賞球通路３３には入賞球制御装置３４および入賞検出スイッチ３５が配設されている。
　【００１４】
　ところで、前枠１３の裏側には役物制御装置３６および本体制御装置３７が取付けられ、外枠１４の裏側にはカード式球貸装置５を構成するリードライター制御装置５ｂおよびこの端末装置であるカードリードライター５ａが取付けられている。カードリードライター５ａは前面に突出してビス３８止めされカードリードライター５ａの正面にはカード挿入口５ｃが位置し内部にカード搬送装置３９が組込まれ、表面には金額の表示装置４０、球貸スイッチ４１およびカードの取出スイッチ４２が取付けられている。
　【００１５】
　次に、本体制御装置３７およびカード式球貸装置５の作動を図５ないし図８を参照して説明する。図５Ｒ＞５に示すように、本体制御装置３７の電気回路は役物制御装置３６およびリードライター制御装置５ｂの電気回路と接続され、本体制御装置３７およびリードライター制御装置５ｂは互いのｃｐｕが信号の交換をして作動する回路とされている。そして、本体制御装置３７およびリードライター制御装置５ｂは図６ないし図９に示すルーチンを高速に繰り返し演算実行することにより制御される。
　【００１６】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（
後述する球貸
の記憶数の減算を要求する
　【００１７】
　また、本体制御装置３７は主要のｃｐｕがＲＯＭに書き込まれたプログラムにより作動し、入賞検出スイッチ３５、タッチスイッチ４ａおよび単発発射用のスイッチ６のオン・オフ信号の入力や排出装置２７の作動状況を示す信号およびリードライター制御装置５ｂのＢＢコールを受けて打球発射装置３２、スピーカ１９、表示灯２０および排出装置２７を作動させるものである。また、ＢＢコールを受けたとき、リードライター制御装置５ｂに向けてビジー信号、残金減算要求信号および球貸記憶減算要求信号を送信する。
　【００１８】
　次に、リードライター制御装置５ｂの作動を図６ないし図８を参照して説明する。なお、図６ないし図８のターミナルＡ，Ｂ，Ｃ，Ｄ，Ｅは同一のものであり、結線されている。機能的には球貸準備、ＢＢコール出力発生およびカード排出というブロックに分けることができる。図６に示すように、最初にカードリードライター５ａのカード挿入口５ｃにカードが差し込まれているかどうかを判別する（ステップ１）。カードがなければそのまま待機状態になり挿入されていればステップ２（カードを所定の読取り位置に搬送する。）、ステップ３（データを読み取る。）およびステップ４へ進む。ステップ４ではステップ３でのセキュリティを判定し、イエスであれば次のステップ５に進みノウであればカードを排出する（ステップ９）。
　【００１９】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（
すなわち、球貸記憶数情報。球貸スイッチの操作に基づき、リードライター制御装置のＲＡＭに記憶される球の数であり、
（カードに記憶された球貸可能な数、すなわち球貸記憶数）
　【００２０】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値
（前記球貸記憶数）
　【００２１】
　また、ステップＡ３において残金減算要求信号が受信されていればステップＡ９に進み残金データを減算したのちステップＡ４（ゼロになっていないことの確認がなされる。）に合流する。一方、ビジー信号が受信されている場合、すなわちステップＡ１においてはステップＡ１０に進み、ステップＡ６においてはステップＡ１１に進みＢＢコールを停止させる。以後カードが挿入されている間上記処理を繰り返す。ステップ５において判定がイエス（カードの取出スイッチが働いている状態）であれば図８に示すステップＢ１に進みカードの排出手順を行う。
　【００２２】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値
（前記球貸記憶数）
（前記球貸記憶数）
（前記球貸記憶数）
　【００２３】
　一方、図７に示すステップＡ４で残金データが０になったことを判定すると、カードに残金０のデータを書き込み（図８ステップＢ１０）、球貸記憶の記憶数
（前記球貸記憶数）
　【００２４】
　本体制御回路においては、図９に示すようにステップＣ１でＢＢコールが受信されているかを判定する。受信されていない場合は、入賞球の有無を判定する（ステップＣ２）。入賞球がない場合はここで待機状態になり（ステップＣ１に戻る。）、入賞球がある場合は再度、ＢＢコールの有無を判定する（ステップＣ３）。ＢＢコールが無ければ賞球排出処理を行い（ステップＣ４）ステップＣ５で処理終了を検知するまで賞球排出を行う。処理終了を検知すればステップＣ１に戻る。
　【００２５】
　ステップＣ３は賞球排出よりも貸出球排出を優先するように組まれている。ＢＢコールを受信した場合、ステップＣ１またはステップＣ３からステップＣ６に進み、ビジー信号を発生させる。そして、ステップＣ７において貸出球排出処理を行う。ステップＣ８では貸出球排出処理が終了したかを判定し、継続中であればステップＣ７へリピートされる。排出処理終了後、ステップＣ９においてビジー信号を停止させ、ステップＣ１０において球貸記憶減算要求信号を発生させる。さらにステップＣ１１において残金減算要求信号を発生させて、ＢＢコールおよび入賞球の待機状態（ステップＣ１，Ｃ２）とする。
　【００２６】
　すなわち、カード式パチンコ機はカードを挿入するとカードリードライター５ａがカードの良否、残高、を判定し（ステップ４）、遊技者の球貸スイッチ４１の操作に基づき（ステップ６）賞球および貸出球の排出装置２７が作動して貸出球排出処理が行われる。この場合、上タンク２３に貯留されている遊技球が貸出球となって接続樋２６を流下し、排出装置２７の下部の賞球樋２８を通って上皿２に供給される。
　【００２７】
　また、本実施例ではカードを挿入した後、カードは残額が０になるか（ステップＡ４参照）または取出スイッチ４２が操作されるか（ステップ５参照）するまでカードリー
ドラ
　【００２８】
　【発明の効果】
　本発明は、以上のように構成したものであるから、リードライター制御装置はＲＡＭに球貸記憶数情報を蓄積させておくことにより貸出球の排出を本体制御装置と共に制御し、本体制御装置への制御機能の集中化を排除することができる。これによってパチンコ機の旧台から新台への交換時、新台の本体制御装置を入れ替えることにより、カードリードライター、リードライター制御装置及び球貸スイッチがそのまま使用できるので、この分のコストが低減される。また、カード操作に必要な球貸スイッチの操作が変更されず従来通り操作できる。また、前記球貸スイッチをオンとすることにより球貸記憶数情報としてＲＡＭに記憶し、該球貸記憶数情報に基づいて球貸要求信号を本体制御装置に送信することにより、確実に貸出球の排出処理が行え、また、本体制御装置からのビジー信号の送信を受信することにより、球貸要求信号を発生させないので、１回の貸出球の排出処理が確実に行え、信頼性が向上するという効果がある。また、リードライター制御装置は球貸スイッチ、カードリードライターからの信号を受信して球貸記憶数情報とし、ビジー信号の無いときにＲＡＭに記憶された該球貸記憶数情報に基づき本体制御装置へ球貸要求信号を送信することができ、本体制御装置は貸出球排出処理を繰り返し行なうことができる。
【図面の簡単な説明】
　【図１】本発明の実施の形態におけるパチンコ機の斜視図である。
　【図２】図１に示すパチンコ機の分割状態を示す斜視図である。
　【図３】図１に示すパチンコ機の正面図である。
　【図４】図１に示すパチンコ機の裏面図である。
　【図５】図１に示すパチンコ機のカード式球貸装置と本体制御装置との結線を示すブロック図である。
　【図６】図５に示すカード式球貸装置の一部フローチャートである。
　【図７】図５に示すカード式球貸装置の一部フローチャートである。
　【図８】図５に示すカード式球貸装置の一部フローチャートである。
　【図９】図５に示す本体制御装置のフローチャートである。
　【符号の説明】
　１　パチンコ機
　５　カード式球貸装置
　５ａ　カード挿入部
　５ｂ　リードライター制御装置
　３７　本体制御装置
　４１　球貸スイッチ
　４２　取出スイッチ